(57)【特許請求の範囲】
【請求項１】
蓋板（２）と、開封用タブ（２０）とを備える、缶用、特に飲料缶用の缶端部蓋であって、
前記蓋板（２）は、シート材料から成形され、上面（３）と、下面（４）と、前記上面上に突設され該上面を取り囲む周壁（５）とを備え、前記周壁と前記蓋板上に配置された固定用スタッド（６）との間に、剥離部（８）を有する剥離領域（７）が形成され、前記剥離部が少なくとも大部分において所定の破断線（９）によって円周状に郭成されており、
前記開封用タブ（２０）は、シート材料から成形され、押圧部（２１）と、握り部（２２）とを備え、前記押圧部と前記握り部との間の該開封用タブの切開部（２４）内で前記押圧部に形成された締結用舌部（２３）によって前記固定用スタッドに回転可能に取り付けられており、前記握り部の下面に、該握り部の上面の領域を押し込めることによって、下方に突出する封塞用アタッチメント（２５）が形成され、該封塞用アタッチメントが、その外周輪郭に沿って延び、自身が環状に閉じている封塞用周縁部（２６）を含み、
前記開封用タブの開放回転位置において、前記押圧部（２１）が押し下げられて、前記剥離部（８）を前記所定の破断線（９）に沿って前記蓋板から分離し、郭成端縁に郭成される開口（１０）を前記蓋板に形成するとともに、前記固定用スタッドを中心に前記開封用タブを閉鎖回転位置まで回転させた後に前記握り部（２２）を封塞位置まで回動させることによって、前記開口が前記封塞用アタッチメント（２５）の前記封塞用周縁部（２６）によって再封されるようになっており、
前記蓋板（２）の前記剥離領域（７）の周りには環状壁（１１）が延びており、前記環状壁（１１）はある高さを有し、その高さ部分は、前記剥離部（８）および前記破断線（９）が形成された底面を有する凹部（１２）を囲みかつ郭成するよう前記蓋板の上面に対してある角度で延び、前記環状壁は、前記固定用スタッド（６）と前記蓋板の前記周壁（５）との間でそれ自体閉じた内周輪郭（１６）を有する内面を有しており、前記破断線（９）の周囲輪郭の形状が前記環状壁（１１）の前記内周輪郭の形状よりも小さく、内側鍔状周縁部（３１）が前記破断線と前記環状壁の下端との間で形成されるようになっており、
前記開封用タブ（２０）の前記封塞用アタッチメント（２５）の前記封塞用周縁部（２６）が、該封塞用周縁部（２６）の外周輪郭に関して、前記開口（１０）の郭成端縁から離れている前記環状壁（１１）の前記内周輪郭に相補的に成形され、前記封塞用周縁部は、前記封塞用アタッチメントが前記握り部（２２）の封塞において前記凹部に沈み込むときに、前記封塞用周縁部の前記外周輪郭に沿って前記環状壁（１１）の内面と係合する、缶端部蓋。
【請求項２】
前記開封用タブ（２０）の前記握り部（２２）が、前記開封用タブがその封塞位置のときに前記環状壁（１１）の上方に突出する周囲鍔（２７）を有する、請求項１に記載の缶端部蓋。
【請求項３】
前記蓋板（２）の外側の前記周壁（５）が、ある軸線（１４）に対して点対称であり、前記環状壁（１１）の内面がその高さに関して少なくとも前記環状壁の上部において前記軸線に平行に延びている、請求項１または２に記載の缶端部蓋。
【請求項４】
前記環状壁（１１）をその上縁から前記環状壁に囲まれた前記凹部（１２）の底（１３）へ下向きに見たときの前記環状壁（１１）と、前記封塞用アタッチメント（２５）の前記封塞用周縁部（２６）をその高さに沿って前記封塞用周縁部の下端から見たときの前記封塞用周縁部（２６）が、３°から５°の角度でアンダーカットされている、請求項１または２に記載の缶端部蓋。
【請求項５】
前記環状壁（１１）が、少なくともその上部において少なくとも該環状壁の前記内周輪郭の大部分に沿って、前記蓋板の上面に突出する環状丸縁（１５）の内壁（１６）によって構成されている、請求項１〜４のいずれか一項に記載の缶端部蓋。
【請求項６】
前記環状丸縁（１５）が、前記剥離領域（７）の前記固定用スタッド（６）に面する側で前記剥離領域（７）と前記固定用スタッド（６）との間に連続的に形成されている、請求項５に記載の缶端部蓋。
【請求項７】
前記環状壁（１１）が、前記環状丸縁（１５）の前記内壁の内面（１６）を越えて下方に延びている、請求項５または６に記載の缶端部蓋。
【請求項８】
前記固定用スタッド（６）および前記締結用舌部（２３）は、前記蓋板（２）の上面（３）に突設された台座状隆起（１８）の上面で、前記剥離領域（７）および前記蓋板（２）の上面の上方へと配置されている、請求項５〜７のいずれか一項に記載の缶端部蓋。
【請求項９】
前記握り部（２２）が、前記締結用舌部（２３）によって、前記固定用スタッドと反対側の領域で前記蓋板（２）に対して弾性的に押し付けられる、請求項８に記載の缶端部蓋。
【請求項１０】
前記台座状隆起（１８）の上面が前記剥離領域（７）に向かって傾斜して下っている、請求項８または９に記載の缶端部蓋。
【請求項１１】
前記蓋板（２）が、前記台座状隆起（１８）の上面に応じて傾斜した、前記環状壁（１１）を取り囲む領域（１９）を備える、請求項９または１０に記載の缶端部蓋。
【請求項１２】
前記環状丸縁（１５）が、前記固定用スタッド（６）の前記剥離領域（７）と反対方向の領域で膨らんで、膨らんだ部分（４７）を形成しており、前記台座状隆起（１８）が、前記環状丸縁の前記膨らんだ部分（４７）上に形成されている、請求項８〜１１のいずれか一項に記載の缶端部蓋。
【請求項１３】
前記凹部（１２）の底の前記剥離部（８）が、前記開封用タブ（２０）の前記握り部（２２）の封塞位置で、前記握り部の前記封塞用アタッチメント（２５）の環状の外側角縁（２８）に重ね合わされる環状の内側角縁（３０）により境界が定められており、前記内側角縁または前記外側角縁が封止材料（３４）でコーティングされている、請求項１〜１２のいずれか一項に記載の缶端部蓋。
【請求項１４】
前記封塞用アタッチメント（２５）の外側面および下面（２９）が、前記環状壁（１１）の内面と前記剥離領域（７）の上面とによって形成された蓋領域に形状および寸法において相補的である、請求項１〜１３のいずれか一項に記載の缶端部蓋。
【請求項１５】
前記開封用タブ（２０）の前記握り部（２２）が、前記開封用タブがその封塞位置のときに前記環状壁（１１）の上方に突出する周囲鍔（２７）を有し、
前記剥離領域（７）の前記固定用スタッド（６）と反対側に、前記蓋板（２）の前記周壁（５）の内面から突出し、前記開封用タブ（２０）の前記握り部（２２）の封塞位置で前記封塞用アタッチメント（２５）を前記凹部（１２）内に保持するように前記開封用タブ（２０）の前記握り部（２２）の前記周囲鍔（２７）と係止状態で協働する戻り止め（３２）が形成されており、前記戻り止めは、前記周壁の外部から該周壁に圧入され、前記周壁の円周方向において延びるようにされている、請求項１，３〜１４のいずれか一項に記載の缶端部蓋。
【請求項１６】
前記開封用タブ（２０）の前記押圧部（２１）と前記締結用舌部（２３）が、前記開封用タブの素材の延出部（３５）を前記押圧部と前記締結用舌部の下に折り返すことによって補強されている、請求項１〜１５のいずれか一項に記載の缶端部蓋。
【請求項１７】
前記延出部（３５）が、薄板状であって、両側で外側に突出して前記握り部の側縁にクリンプされたアーム（３６）を有しており、前記締結用舌部の形状と同一で、前記締結用舌部とともに前記固定用スタッド（６）に回転可能に固定された舌状端部を有している、請求項１６に記載の缶端部蓋。
【請求項１８】
前記開封用タブ（２０）の閉鎖回転位置における前記握り部（２２）が、前記蓋板の前記周壁（５）の近くに延びて、前記周壁（５）に隣接する領域において両側に拡張されている、請求項１〜１７のいずれか一項に記載の缶端部蓋。
【請求項１９】
前記固定用スタッド（６）の前記剥離領域（７）とは反対側の前記蓋板（２）に、少なくとも１つの弓形の補強用凹部（４０）が形成されている、請求項１〜１８のいずれか一項に記載の缶端部蓋。
【請求項２０】
前記固定用スタッド（６）の前記剥離領域（７）とは反対側の前記蓋板（２）に、前記開封用タブ（２０）の開放回転位置において前記封塞用アタッチメント（２５）を受け入れるように、受入れ凹部（４６）が形成されている、請求項１〜１８のいずれか一項に記載の缶端部蓋。
【請求項２１】
請求項１〜２０のいずれか一項に記載の缶端部蓋（１）を備える飲料缶（５０）。
【請求項２２】
前記開封用タブ（２０）の前記握り部（２２）が、前記開封用タブの閉鎖回転位置において前記環状壁（１１）を越えて突出する周囲鍔を備えており、前記剥離部（８）が閉じた未分離の状態であるときに、前記開封用タブが、閉鎖回転位置にあるとともに、前記環状壁（１１）により囲まれた前記凹部（１２）に前記封塞用アタッチメント（２５）と一緒に沈み込み、閉鎖回転位置における前記開封用タブ（２０）が、前記固定用スタッド（６）とは反対向きの前記周囲鍔の部分を有し、前記蓋板（２）の前記周壁（５）に近い位置にあり、前記剥離領域（７）と前記環状壁（１１）が前記握り部（２２）および前記周囲鍔によって覆われるようになっている、請求項２１に記載の飲料缶。
【請求項２３】
請求項１〜２０のいずれか一項に記載の缶端部蓋（１）の製造方法であって、前記開封用タブ（２０）の前記封塞用アタッチメント（２５）が前記封塞用周縁部（２６）を形成する周壁（３３）を有し、
前記封塞用アタッチメント（２５）の前記周壁（３３）を形成する前記封塞用周縁部（２６）と前記蓋板（２）の前記環状壁（１１）とをそれぞれ形成するために、別個独立のステップで、前記蓋板（２）と前記開封用タブとが形作られ、
前記開封用タブ（２０）が、前記締結用舌部（２３）において前記蓋板（２）の前記固定用スタッド（６）に回転可能にリベット結合され、
その後、前記開封用タブが閉鎖回転位置にあり、前記握り部（２２）が、前記封塞用周縁部（２６）を有する前記握り部（２２）の前記封塞用アタッチメント（２５）が前記環状壁（１１）の内面と係合する前記握り部の封塞位置まで下げられている前記蓋板および前記開封用タブの状態において、前記蓋板の前記環状壁（１１）が、前記開封用タブ（２０）の前記封塞用アタッチメント（２５）の前記封塞用周縁部（２６）を形成する周壁（３３）とともに、プレス型（６０）とプレスラム（６１）との間で再圧縮される、製造方法。
【請求項２４】
再圧縮作業後に、前記握り部（２２）がその封塞位置に配置されている前記開封用タブ（２０）の状態で、前記蓋板（２）の前記周壁（５）が、前記缶（５０）の缶端部（５２）の周壁の自由鍔（５１）に形状フィット状態で取り付けられる、請求項２３に記載の製造方法。
【発明の詳細な説明】
【技術分野】
【０００１】
本発明は、缶用、特に飲料缶用の再封可能な缶端部蓋、ならびにそのような缶端部蓋を有する飲料缶に関する。缶端部蓋は、所定の破断線によって剥離部が円周状に郭成された剥離領域を有する蓋板と、押圧部と握り部との間に締結用舌部を備えた開放用タブとを備えている。締結用舌部は、固定用スタッドによって蓋板に回転可能に固定されている。締結用舌部は、開放用タブの押圧部と握り部との間の部分に配置されており、その基底は、締結用舌部が基底を中心に前後に曲げられるように、押圧部に一体的に形成されている。これにより、開放用タブの開放位置まで回転された押圧部は、剥離部が所定の破断線に沿って缶端部の蓋板から分離され、それにより缶端部の蓋板に開口が設けられるまで、剥離部に対して押し下げることができる。握り部は、下方に突出する封塞用アタッチメントを備えている。開口は、固定用スタッドを中心に開放用タブを閉鎖回転位置まで回転させ、握り部を封塞位置まで押し下げた後に、封塞用アタッチメントの封塞用周縁部によって再封することができる。
【０００２】
蓋板と開放用タブとは、射出成形などの成形技術、および／または加圧、型打ち、打抜き、深絞りおよび鍔出しによって成形された薄い板であることが好ましい、繊維で補強される場合もあるプラスチック材料および／または金属材料のような異なるシート材料からさえなる可変の薄いシート材料からなっていてもよい。缶端部蓋板および開放用タブの材料厚は基本的に一定である。したがって、缶端部蓋板または開放用タブの上面の隆起は、それぞれ缶端部蓋板と開放用タブの下面で同様の形状の凹部または押込みに対応し、上面の押込みまたは凹部は、下面で同様の形状の突出するアタッチメントに対応する。好ましくは、固定用スタッドは、缶端部蓋板の材料から押し出された中空リベットである。しかしながら、後の段階で缶端部蓋板に固定されるリベットなどが、固定用スタッドとして使用されることもできる。
【０００３】
蓋板は、缶の無蓋の側壁に蓋板を固定するために使用される蓋板上面の外周壁を備えている。この周壁は、軸線を中心に点対称に延びており、円筒缶用に少なくともほぼ円筒状である。本発明のこの明細書において、蓋板または蓋板の上面に対する角度に言及する場合、概ね蓋板の中心の蓋板軸線とも理解される指定の対称軸線に垂直な基準面に対する角度を意味する。
【０００４】
固定用スタッドは、蓋板の中心に配置されてもよいし、蓋板上に偏心して、すなわち、蓋板の中心に対して離れたところに配置されてもよい。
【０００５】
本発明にかかる缶端部蓋は、例えば、コーヒーやココアの粉末、スープ粉末、あらゆるインスタント粉末、家庭の穀類など、粉末や顆粒状の製品のようなあらゆる流動可能な製品用の容器、特に、例えば、飲用液体、だし汁やスープ、油など、固形物も含む場合もある液体用の容器に使用されることができる。本発明にかかる缶端部蓋は、例えば、液体、粉末または顆粒状の洗剤や処理剤などが入った他の液体または粉末用容器にも使用されることもできる。
【背景技術】
【０００６】
前述したタイプの缶端部蓋は広く知られている。缶端部蓋には、封塞用アタッチメントが下面に存在する握り部が備え付けられており、封塞用アタッチメントは、剥離部を破断させることによって形成された開口まで封塞用アタッチメントを押し下げることによって開口が再び閉塞されることができるように、開放用タブを閉鎖回転位置に回転させた後に開口に嵌入する。しかしながら、このタイプの缶端部蓋には２つの重大きな問題がある。一方では、缶端部蓋を大量生産に適したものにする構成を作り出すことと、他方では、特に缶の多用のために開口を繰り返し開閉する必要がある場合に、封塞用アタッチメントの十分な漏止めを得ることである。この目的のため、封塞用アタッチメントの封塞用周縁部の形状は、開口の端縁、したがって開口端縁を決定する所定の破断線に対して隙間なく成形される必要がある。さらに、一方では、剥離部を破断させる際に、剥離部内の変形、したがって、開口端縁の位置および連続性の食違いが引き起こされる可能性があり、他方では、剥離部を破断させる前後で開放用タブを持ち上げ、回動させて戻す際に開放用タブの締結用舌部を前後に曲げることによって、開放用タブ締結用舌部の永久曲げ変形に起因して、開口に対する封塞用アタッチメントの封塞用周縁部の食違いが引き起こされる可能性がある。これはすべて、封塞用アタッチメントの封塞用周縁部が破断された開口にもはや嵌入しない結果を招く恐れがあり、それにより、開口の郭成端縁が変形状態になって、封塞用アタッチメントの漏止め性が損なわれる。
【０００７】
剥離部の変形の予防の最新技術は、剥離部の周りの蓋板に対するリブ状丸縁加工または溝状押し広げ加工によって剥離部を補強することである。例えば、米国特許第４  ４６３  ８６６号明細書によれば、三方で剥離部を取り巻き、固定用スタッドの両側を越えて延びる補強用丸縁がある。さらに、椀形の封塞用アタッチメントは、握り部が閉鎖回転位置まで回動された後に封塞用アタッチメントが押し込められる破断された開口の郭成端縁と協力して漏止め性を向上させる封塞用周縁部として効果的なその周面が、軟質材料でコーティングされている。握り部には、閉塞されたときに補強用丸縁上に載る突出周囲鍔が備え付けられている。しかしながら、封塞用アタッチメントを繰り返し使用すると、漏止め性を次第にゆがめる、開口の鋭い端縁で、封塞用アタッチメント上のコーティングが破られる可能性がある。
【０００８】
例えば米国特許第４  ４４２  ９５０号明細書や米国特許第６  ０５９  １３７号明細書のような別の提案によれば、握り部が閉鎖回転位置にある状態で封塞用アタッチメントが押し込まれる開口の封塞が、握り部の突出周囲鍔と蓋板上の開口周りの平坦部との間の封止リングによってさらに向上される。しかしながら、この構成においても、開口を破断させるときに端縁部分が変形される場合、および／または開放用タブを蓋板に取り付ける手段であり、開口と封塞用アタッチメントとの位置合わせを決める締結用舌部が以前に缶を開口したことによって不明な形で既に変形されていた場合には、漏止め性が悪影響を受ける可能性がある。米国特許第６  ０５９  １３７号明細書にかかる缶端部蓋には、可撓式の摩擦接触によって封塞用アタッチメントの周囲鍔を周囲の開口端縁に隙間なく押し付けるために、封塞用アタッチメントの周囲鍔に、握り部が閉鎖回転位置にあるときに開口端縁の下に入り込む２つの係止用丸縁がある。米国特許第４  ４４２  ９５０号明細書によれば、封塞用アタッチメント上の追加の封止リングが、開口を通して押し込まれ、開口端縁の下面に入り込む。封塞用アタッチメントを押し下げる間に開口を通して押し込められたときに開口端縁と接触状態になり、変形状態になるこれらの軟質入り込み材料は、開口を開閉する際に、開口の鋭い端縁で損傷を受ける可能性がある。これにより、封止リング上へ周囲鍔を低く維持する効率と、開口周縁部に対する周囲鍔の隙間のない押圧が失われることになる。
【発明の概要】
【発明が解決しようとする課題】
【０００９】
本発明は、数回開けられたり塞がれたりしても、蓋の単純な構成上の特徴によって効果的なシールの漏止め性を達成する冒頭に述べたタイプの缶端部蓋と、大量生産に適した蓋付き缶をもたらすものである。
【課題を解決するための手段】
【００１０】
本発明の第１の構成の実施形態では、蓋板の剥離領域の周りで、固定用スタッドと蓋板の外周壁との間の蓋板の領域内に位置する内側輪郭を有し、この蓋板の領域内でそれ自体環状に閉じた環状壁が設計されている。環状壁によって有底の凹部が取り囲まれており、凹部の底に剥離部が形成されている。開放用タブの封塞用アタッチメントの封塞用周縁部の外側形状は、環状壁の内側形状に相補的であり、握り部が封塞位置のとき、封塞用周縁部は、その外側形状に沿って環状壁の内面と係合する。
【００１１】
握り部の封塞位置で、封塞用アタッチメントの封塞用周縁部が、破断された開口の郭成端縁と係合し、したがってこの郭成端縁の内側形状に相補的な外側形状を有する最先端技術とは別の方法で、本発明の第１の構成の実施形態における開口の封塞は、開口を取り囲む独立した環状壁の内面に沿ってもたらされる。したがって、本発明の第１の構成の実施形態の封塞用アタッチメントの漏止め性は、開口の薄い郭成端縁に対して封塞用アタッチメントの封塞用周縁部を線状に封塞することに依拠するものではない。もっと適切に言えば、封塞用周縁部と環状壁の内面との間に、面接触の封塞がもたらされることになる。
【００１２】
さらに、本発明は、所定の破断線の経路の形成を剥離領域周りの環状壁の内周形状の形成とは別に設定し、それにより、破断線の経路の形成を封塞用アタッチメントの封塞用周縁部の外周形状の形成から切り離す。したがって、環状壁および封塞用アタッチメントの形状は最適の封塞機能向けに製造に適して設計されることができる。同時に、所定の破断線は開放用タブの押圧部による剥離部の最適な剥離に向けて設計されることができるとともに、破断線の経路が環状壁の内側輪郭の経路から外れることさえできる。
【００１３】
環状壁は、円形であってもよいが、円形であることは必要とされていない。環状壁は、もっと適切に言えば、概して、それ自体で環状に閉じており、例えば特に、環状壁に囲まれた剥離部の外側に位置する固定用スタッドに面する側が多かれ少なかれ真直ぐな場合もある壁を意味する。それに応じて、封塞用アタッチメントの輪郭上の封塞用周縁部も、環状壁の内壁の経路に従い、それ自体で閉じている。
【００１４】
高さが蓋板の上面に対して傾いている環状壁の剛性のために、封塞面は、開放用タブ用の固定用スタッドの周辺領域を含む環状壁外側の蓋板領域に働く力および剥離部を破断させる際に環状壁内の底部領域に働く力による変形を被りにくい。好ましくは、環状壁は、少なくともその上縁において、蓋板の上面に対して９０度の角度にあり、したがって、理想的には、環状壁の表面線が蓋板の周壁の軸線に平行に走っている。
【００１５】
さらに、環状壁の平滑な内面は、封塞用アタッチメントを開口内に押し下げるときの封塞用アタッチメントの周壁に対する位置合わせ効果も有する。このおかげで、剥離部を破断させた際に発生していた可能性のある開放用タブ締結用舌部の不明な屈曲によって引き起こされた封塞用アタッチメントの食違いさえ埋め合わせられ、取り消されることになる。この効果は、本発明のさらに別の実施形態におけるように、環状壁の内面または封塞用アタッチメントの封塞用周縁部が封止材の薄膜でコーティングされる場合にも達成されるであろう。
【００１６】
本発明の構成によって、封塞用アタッチメントは、握り部が封塞位置にあるとき、環状壁に囲まれた凹部の中に沈み込んで、その封塞用周縁部が環状壁の内面と係合して開口を閉塞する。しかしながら、剥離部を取り囲む所定の破断線は凹部の底にある。本発明の本明細書のために、凹部の底とは、結果として蓋板の剥離領域を示す環状壁内の領域の全床領域を意味する。この床領域自体の範囲内に、隆起が組み込まれていてもよい。この場合、封塞用アタッチメント形成壁の下面に、対応する凹部が設けられてもよく、開放用タブ握り部の封塞位置で封塞用アタッチメントが環状壁の内側領域に入り込んだときに、そのような床領域の隆起が凹部内に、例えば隙間を置いて、突出していてもよい。開放用タブが開放位置にあって剥離部を破断させる際には、押圧部がそのような隆起に押し当たるので、そのような隆起は、例えば、剥離部を破断させる際の開放用タブの回動角度を小さく保つのに有利であることができる。例えば、剥離領域は、環状壁の内側に隣接する外側領域の凹部が円環状に形成されるように、環状壁に対して距離を置いたその内側領域が盛り上げられていてもよい。
【００１７】
一方では環状壁によって囲まれた内側領域の床領域と、他方では封塞用アタッチメントの下面とのそのような相補的、または少なくともほとんど相補的な適合によって、剥離部が破断されてしまう前に、したがって缶端部蓋付きの缶を開封する前に、封塞用アタッチメントは、床領域の隆起に衝突することなく、内側領域にロックすることができる。これにより、特に飲料缶の場合、開放用タブを閉鎖回転位置に配置し、封塞用アタッチメント付きの握り部を封塞位置まで、したがって環状壁に囲まれた凹部まで押し下げることによって、衛生上の理由ですでに缶の包装時、出荷時および貯蔵時に蓋板の剥離領域を保護する選択肢が提供される。これにより、缶が開封された後に飲むために唇が触れる蓋の領域が、とりわけ、開放用タブ握り部が好ましくは環状壁上に径方向に圧着する周囲鍔を備えている場合に、汚れから効率的に保護されることになる。
【００１８】
環状壁に囲まれた凹部は、環状壁の内面より外側の蓋板の外側領域が基本的に平面状になるように蓋板の上面に形成されていてもよい。本発明の好都合な構成の場合、環状壁は、少なくともその上部が少なくともその輪郭の大部分に沿って、蓋板輪郭の上面に突出する環状丸縁の内壁によって構成されている。したがって、環状壁は、蓋板上面から突出する、峰の線が丸い断面の、したがって、内側面と外側面の高さが同じである環状丸縁の急勾配の内側面のみで形成されていてもよい。しかしながら、少なくとも剥離領域の固定用スタッドと反対側の最長の周方向部分に沿って環状壁の内面の高さを高くすることが好ましい。これにより、封塞用アタッチメントを環状壁の内側に位置合わせするための封塞面および／またはガイド面が、環状丸縁の内側面より下方に深く延びる環状壁によって拡大されている。そのような環状壁の高さの増加によって、開放用タブの握り部の封塞用アタッチメントを、環状壁内に封塞用アタッチメントを形状フィット状態（ｆｏｒｍ−ｆｉｔ：形状がぴったりとあった状態での取付状態）および摩擦による取付状態に維持する封塞位置で、環状壁に少しつかえさせることができる。そのような配置に関して、環状丸縁は、固定用スタッドに面する側が円周方向に中断されてもよいし、例えば、固定用スタッド周りの領域内で蓋板をさらに補強するために、固定用スタッドの両側で丸縁アームによって延長されてもよい。しかしながら、好ましくは、環状丸縁は、剥離部の固定用スタッドに面する部分において、同様にそれ自体で閉じている。
【００１９】
環状壁は、その内側に真直ぐな表面線を有していることが好ましい。それに応じて、封塞用アタッチメントの封塞用周縁部内の表面線も同様に真直ぐであることが好ましい。既に上述したように、蓋板蓋の上面から傾斜して突出する環状壁は、好ましくは蓋板蓋の周壁が向きを合わせた対称軸線に平行なその表面線に沿って延びていてもよい。それに応じて、封塞用アタッチメントの封塞用周縁部の表面線も、互いに平行であり、開放用タブ握り部の上面に対して基本的に垂直である。開放用タブの閉鎖回転位置において握り部が封塞位置まで押し下げられるとき、握り部が下降する際に締結用舌部がその基底を中心に曲げられるので、握り部の封塞用アタッチメントは、半径が押圧部上の締結用舌部の基底に対する距離によって決まる回動曲線に沿って、環状壁に囲まれた凹部内まで下方に回動されることになる。締結用舌部の基底に沿ったこの撓み線は、開放用タブが閉鎖回転位置にあるとき、固定用スタッドの開放用タブの握り部と反対側に配置されている。さらに、締結用舌部は、曲げに対して全く弱いわけではなく、その結果、環状壁に囲まれた凹部内で封塞用アタッチメントが環状壁に対してわずかに傾斜される弾性復元力を発生させる。このため、握り部が封塞位置にあるとき、封塞用アタッチメントは環状壁につかえる。これにより、握り部が封塞位置にあるとき、封塞用アタッチメントは、形状フィット状態に保たれ、摩擦によって圧力嵌め位置に保たれる。
【００２０】
環状壁の表面線を蓋板の周壁の対称軸線と平行に揃える代わりに、環状壁によって囲まれた凹部の上縁から凹部の底へ下向きに見た環状壁が、封塞用アタッチメントの下端から見た封塞用周縁部と同様、３度から５度の角度でアンダーカットされて高さに沿って延びるように、表面線が平行線に対して最高５度、好ましくは最高３度の角度に傾斜されていてもよい。これは、凹部がその下端においてその上端よりも大きい直径を有し、それに応じて、封塞用アタッチメントがその下端においてその上端よりも長い直径を有していることを意味する。この構成により、封塞用アタッチメントがその封塞位置に保持される保持力がさらに高められる。
【００２１】
本発明の構成の別の選択肢は、蓋板上面の台座状の隆起上に固定用スタッドを搭載することである。これにより、一方では、蓋板が台座状隆起によって補強されるので、固定用スタッドが安定化される。他方では、固定用スタッドを高い位置に搭載したために、握り部の回動曲線の回動軸線である締結用舌部の基底の位置が上昇されるので、回動曲線の位置合わせが、握り部をその封塞位置まで押し下げる際に、環状壁の位置合わせに対して相対的に良い影響を与えることができる。したがって、固定用スタッドの位置の上昇は、封塞用アタッチメントに対するつかえの効果のみならず、環状壁の位置合わせ効果を向上させることができる。
【００２２】
さらに、固定用スタッドの位置の上昇によって、開放用タブの握り部が、固定用スタッドとは反対側の端部を蓋板に載せ、蓋板に対して斜めに傾斜して下降している状態をもたらすことができる。固定用スタッドの位置上昇は、さらに、開放用タブが閉鎖回転位置および／または開放回転位置にあるとき、握り部が締結用舌部によって蓋板に弾性的に押し付けられるようにして利用することもできる。この目的のため、締結用舌部は、リベット結合の前に、開放用タブの上面より上方に１度から４度の小さい角度だけ上向きにして固定用スタッドに位置合わせされてもよい。これにより、リベット結合後、握り部はそれに応じて締結用舌部に対して下方に傾いて位置合わせされることになり、リベット結合の間に、締結用舌部は、蓋板に載った握り部によって撓んで曲げ戻されることになる。
【００２３】
固定用スタッドの位置の上昇により、追加の構成上の特徴、すなわち、台座状隆起の上面を剥離領域に向かって下り坂で傾斜させることが可能になる。台座状隆起上面のこの傾きは、好ましくは１度から４度の角度、好都合な形状では２度の範囲内の角度にある。台座状隆起上面の傾きのために、開放用タブの握り部は、その開放回転位置から閉鎖回転位置への回転時に、下方に傾きながら動かされ、位置合わせされることになる。これにより、封塞用アタッチメントが閉鎖回転位置にあるとき、封塞用アタッチメントに対する環状壁および環状丸縁の位置合わせ効果は、もし存在すれば、封塞用アタッチメントに対する環状壁のつかえの効果も、握り部を封塞位置に押し下げる際に強化することができる。また、この状態では、開放用タブの押圧部が、その封塞位置において、固定用スタッドの握り部とは反対側で蓋板上方のより高い位置に配置される。この隆起上面の傾きは、再び封塞用アタッチメントを開放させるときに、押圧部を押し下げることによって、開放用タブの握り部をその封塞位置からてこで動かすことができるように使用することができる。
【００２４】
固定用スタッドの台座状隆起上への上方配置により、さらに、剥離部を破断させる際に開放用タブの押圧部を押し下げることによって締結用舌部の基底を中心に曲げられた締結用舌部を、開放用タブの閉鎖回転位置から握り部が下方に回動される角度ができる限り小さくなる位置までさらに曲げ戻すことができるようになる。この目的のため、台座状隆起の上面は、締結用舌部が形成されている開放用タブの切開部の隙間の幅より小さい幅を有していることが好ましい。このために、台座状隆起の上部が切開部を通り抜けるので、締結用舌部の基底が固定用スタッドと剥離領域の間に位置する開放回転位置にある締結用舌部は、好ましくは締結用舌部が切開部のレベルより上方に位置する程度まで開放用タブの握り部を押し下げることによって、曲げ戻すことができる。好ましくは、台座状隆起の幅は、少なくともその上部が、締結用舌部の幅に相当する。
【００２５】
好ましくは、環状壁を取り囲む蓋板の領域が、台座状隆起の上面と同じ程度に傾斜している。これにより、封塞用アタッチメントが環状壁に囲まれた凹部に入るときの環状壁の位置合わせ効果、したがって封塞用アタッチメントに対する環状壁のつかえの効果によって封塞用アタッチメントが傾斜される傾き角をさらに大きくすることができる。そのような構成においても、環状壁の内側の表面線の蓋板周壁の対称軸線に平行な位置合わせ、または環状壁の表面線の平行配列に対して小さな角度をなすアンダーカットの位置合わせが維持されることが好ましい。
【００２６】
固定用スタッドが搭載される台座状隆起の形成のため、環状壁の実効高を上げる環状丸縁が存在するならば、環状丸縁は、剥離領域と反対方向に膨らんでいてもよい。
【００２７】
剥離部が、少なくとも固定用スタッドと反対側の周縁側に沿って、蓋板の上面から突出する環状丸縁の急勾配の内面によって囲まれ、固定用スタッドが蓋板上面の台座状隆起上に剥離部より上方位置で搭載されるように蓋板を設計することは、本発明の第２の構成の形態において、環状壁の存在とは無関係に使用されてもよい。急勾配の内面をもつそのような環状丸縁の、前に説明したような封塞用アタッチメントに対する位置合わせ効果は、封塞用アタッチメントの封塞用周縁部が、剥離部を破断させた際に形成された開口の内側輪郭に取り付けられる場合にも有利である。したがって、固定用スタッドの隆起、蓋板上への握り部の可撓式の押下げ、台座状隆起の上面のわずかに傾斜した構成、環状丸縁を取り囲む蓋板表面のいくらか傾斜した構成、環状丸縁の膨らんだ部分上への台座状隆起の構成、および剥離部と固定用スタッドとの間の閉じた環状壁構成に関連する本発明の上記の説明と構成は、それぞれ本発明の第２の構成にも当てはまる。
【００２８】
本発明の別の構成では、凹部の底の剥離部は、握り部が封塞位置にあるときに握り部の封塞用アタッチメントの環状の外側角縁に重ね合わされる環状の内側角縁と界接している。内側角縁または外側角縁は、封止材料でコーティングされていてもよい。好ましくは、この場合、内側角縁は、断面がその内面側で凹状に丸く、外側角縁は、断面がその外面側で凸状に丸い。この構成では、剥離部を取り囲む所定の破断線の輪郭と環状壁の内側輪郭の間に径方向の隙間がある。これにより、環状壁に囲まれた凹部の底に、鍔状内縁が形成されることになる。閉じた環状の内側角縁は、そのような内縁と環状壁内面の底縁によって共同して形成されている。環状壁の下端の内側角縁を封止材料でコーティングすること、または相補的な外側角縁を封止材料でコーティングすることによって、特に、再閉塞可能な缶の飲料が炭酸のような発泡性剤を含む場合に、密封性の向上を達成することができる。
【００２９】
特に、そのような内側角縁を有する構成の場合も、凹部は、凹部を囲む概ね平面の蓋板領域内での浅いくぼ地として形成されていてもよい。凹部の深さは、原則として、内側角縁の高さと同じであってもよいし、内側角縁より高くして、それにより、それに応じてより高くした環状壁によって、環状壁の位置合わせおよびつかえの効果を向上させるより大きな封塞面をもたらしてもよい。
【００３０】
本発明の別の好ましい構成では、剥離部の固定用スタッドとは反対側に、蓋板の周壁から突出する戻り止めが形成されている。開放用タブの握り部の封塞位置において、戻り止めは、周囲鍔と共同して封塞用アタッチメントを凹部内に係止状態で下げたまま維持する。開放用タブの封塞用アタッチメントの周囲鍔は、蓋板の周壁の軸線に対して偏心して配置される場合もある固定用スタッドを中心に開放用タブを回転させた後に、周囲鍔の外縁が蓋板の周壁の近くに配置されるように設計されている。戻り止めは、周壁のわずかな円周方向長さ部分に沿って周壁の外部から周壁に圧入されてもよい。しかしながら、例えば、周壁の全周に沿って周壁の外部から周壁に圧入された円周状丸縁の一円周方向部分として戻り止めを設計することも可能である。
【００３１】
蓋板の周壁にそのような戻り止めを有する本発明を設計するにより、開放用タブの握り部を高い封塞効果でその封塞位置に押し下げた状態で保持することが可能になる。本発明のこの構成は、環状壁との組み合わせでも、特に、上述したように、環状壁に囲まれた凹部の底の剥離部が内側角縁と円周状に界接する構成との組み合わせでも見られることが好ましい。さらに、蓋板の周壁上のそのような戻り止めは、封塞用アタッチメントの封塞用周縁部が、剥離部を破断させることによって形成された開口に直に合わされる場合に、環状壁の存在とは無関係に効率よく使用されてもよい。開放用タブの握り部の封塞位置で、封塞用アタッチメントが形成された開口に沈み込むそのような構成では、破断された開口の周縁と封塞用アタッチメントの封塞用周縁部との直接の相互作用によって閉塞効果が達成される。封塞用アタッチメントの周囲鍔が蓋板の開口を取り囲む領域と共同して封塞することが追加の特徴であってもよく、その点で、周囲鍔と蓋板の間に、封止リングが設けられてもよい。
【００３２】
蓋板の周壁に戻り止めを有する本発明を設計することは、固定用スタッド、したがって開放用タブの締結用舌部も剥離領域に対して距離を置いて蓋板上面の台座状隆起上に搭載される構成においても特に高まっている。開放用タブの締結用舌部を高い位置に搭載することによって、閉鎖回転位置の握り部を封塞位置に傾斜して圧入することができ、周壁上の戻り止めまたはロック用唇部を低い位置に配置することができる。この場合、台座状隆起の上面が剥離領域に向かって下り坂で傾斜しており、それに応じて、蓋板の剥離領域を取り囲む領域が、周壁の戻り止めがある部分に向かって傾斜していても好ましい。後者の場合、環状丸縁が存在するなら、環状丸縁の峰の線のレベルが、周壁の戻り止めがある部分に向かって下り坂で傾斜している台座状隆起の上面の傾きと一致する傾斜したレベルであってもよい。
【００３３】
封塞用アタッチメントの封塞用周縁部が、剥離部を破断させることによって形成された開口端縁の形状に直に合わされる場合には、蓋板の周壁上のそのような戻り止めは、環状壁との組み合わせで、または環状壁なしに、前述した構成で都合良く使用されることができる。
【００３４】
押圧部によって剥離部を破断させ、封塞用アタッチメントをその封塞位置に圧入させるとき、再閉塞可能な飲料缶の開放用タブが、開放用タブの締結用舌部の基底に沿って数回前後に曲げられるので、本発明のさらなる特徴、すなわち、締結用舌部の素材の延出部を押圧部および締結用舌部の下に折り返すことによって形成される、開放用タブの押圧部と締結用舌部の補強が提案される。この補強は、特に、締結用舌部が前後に曲げられる基底も同様に補強する。これにより、たとえ締結用舌部が数回前後に曲げられても、締結用舌部のその基底に沿った破断が防止される。
【００３５】
さらに、押圧部と締結用舌部を二つ折りにすることによって、永久曲げ変形に対する曲げ剛性が高められ、それにより、曲げ変形の弾性成分が増大されることになる。このことは、一方で、前述したように封塞用アタッチメントを環状壁につかえさせるために利用される握り部の封塞位置への押下げを打ち消す復元力も増大させることになる。しかしながら、本発明にかかる締結用舌部の補強は、本発明にかかる環状壁を備えていない蓋構造の場合にさえ好都合になることができる。
【００３６】
好ましくは、折り返された素材延出部は、帯状であって、握り部の側縁にクリンプされ、両側で外側に突出するアームを有しており、締結用舌部の形状と同一で、締結用舌部とともに固定用スタッドに回転可能に固定された舌状端部を有している。
【００３７】
これまで述べた本発明にかかる缶端部蓋の構成とは別に、他の特徴が設けられてもよい。特に、蓋板および／または開放用タブは、上面のくぼんだ補強用溝および／または隆起した補強用丸縁などによって補強されてもよい。
【００３８】
固定用スタッドの剥離領域とは反対側の蓋板上面に、封塞用アタッチメント用の受入れ凹部が形成されていてもよい。開放回転位置の開放用タブの封塞用アタッチメントは、開放回転位置の開放用タブが蓋板にできる限り平らに、または低く載るように、そのような受入れ凹部に嵌り込んでもよい。この場合、握り部の周囲鍔と共同して握り部を受入れ凹部内に下げたまま維持するような戻り止めが、受入れ凹部の領域内の蓋板の周壁上に設けられていてもよい。
【００３９】
さらに、そのような受入れ凹部が存在する場合には、開放回転位置の開放用タブが、剥離部を破断させた後に後方に回動して戻されるより大きな回動角度が存在することになる。なぜなら、受入れ凹部が存在する場合、封塞用アタッチメントは、後方に回動されたときに、蓋板の上面に載る前に受入れ凹部に嵌り込むことができるからである。そのようなより大きな回動角度を用いて、開放用タブの押圧部を開口から外に回動させて出すことによって、締結用舌部をできる限り矯正したり、曲げ戻したりすることができる。矯正は、固定用スタッド、したがって締結用舌部を台座状隆起上に高く搭載することによって強化することができる。
【００４０】
開放回転位置の開放用タブの封塞用アタッチメントを受け入れるそのような受入れ凹部が設けられていない場合は、固定用スタッドの剥離部とは反対側の蓋板上に少なくとも１つの弓形の補強用凹部が形成されていることが好ましい。
【００４１】
本発明は、また、上述の１つまたは複数の特徴で本発明に従って設計された本発明にかかる缶端部蓋付き飲料缶に関する。好ましくは、そのような飲料缶の開放用タブの握り部は、所定の破断線が閉じている状態で、すなわち、剥離部が所定の破断線に沿って破断されて蓋板から分離される前に、開放用タブが環状壁に囲まれた凹部内に沈み込んだ閉鎖位置にある閉鎖回転位置のときに、環状壁を越えて突出する周囲鍔を備えている。これにより、剥離領域と環状壁、もし存在しているなら、環状丸縁も、握り部とその周囲鍔によって覆われることになる。好ましくは、この場合、周壁上に戻り止めが設けられ、握り部の周囲鍔が戻り止めの下面に係止する。ずっと上方で既に説明したように、そのような飲料缶は、使用者が剥離部を破断させて、飲むときに消費者の唇が触れる蓋の領域が、出荷中および貯蔵中に汚れないように覆われているという利点がある。このことは、また、この蓋領域から流出する液体による大幅に汚れも防止する。そのような防護は、握り部が閉鎖回転位置にあるときに周壁に隣接する領域において、握り部を特にその周囲鍔の両側に拡張させることによって、さらに強化することができる。
【００４２】
また、本発明は、缶用、特に飲料缶用の蓋を製造し、既に充填済みの飲料缶に蓋を取り付ける方法に関する。この方法では、蓋板と開放用タブが、好ましくは加圧または打抜きによって、要求形状に別々に製造され、その後、開放用タブが、その締結用舌部と一緒に、蓋板の固定用スタッドに回転可能にリベット結合されることになる。
【００４３】
固定用スタッドに対する締結用舌部のリベット結合は、開放用タブが閉鎖回転位置にあって、握り部の封塞用アタッチメントが、好ましくはその封塞用周縁部で環状壁の内面に係合する握り部の封塞位置まで下げられて、環状壁に囲まれた凹部に沈み込まされた開放用タブの位置でなされることが好ましい。
【００４４】
固定用スタッドに締結用舌部を取り付けた後、開放用タブは、まだ閉鎖回転位置になっていなければ、閉鎖回転位置まで回転され、まだ封塞位置まで下降されていなかったならば、封塞位置まで下降されることになる。握り部がその封塞位置にある状態で、環状壁と封塞用アタッチメントの封塞用周縁部を形成する周壁が、プレス型とプレスラムの間で一緒に、好ましくは衝撃的に、再圧縮されることになる。
【００４５】
この再圧縮の間に、プレスラムがわずかに過大寸法であることによって、ある種のプラスチック再成形に似た、円周状封塞輪郭全体に沿う封塞用アタッチメントおよび環状壁内面の材料の延伸がもたらされる。これにより、先行の製造工程の間に起こった材料起伏、寸法不規則および製造許容差が埋め合わされて、封塞用アタッチメントの封塞用周縁部と環状壁の内面との共同封塞面の領域内で要求形状品質が得られ、封塞面が互いに寄り合わされる。一方では封塞用アタッチメントの下面を含む封塞用アタッチメントと、他方では環状壁の内面および環状壁に囲まれたブレークアウト領域との相補的な形成によって、剥離部周りの所定の破断線が再圧縮作業の間に損傷を受けないことがわかる。
【００４６】
再圧縮の結果、封塞用アタッチメントが封塞位置にあって環状壁によって封塞位置に保持された端部蓋が完成する。固定用スタッドが搭載された台座状隆起が存在し、台座状隆起の幅が締結用舌部の幅と同一であれば、先行の開放用タブの成形時で、かつ締結用舌部を固定用スタッドにリベット結合する前に、締結用舌部が、開放用タブの上面より上方に１度から３度のわずかな角度だけ上向きに傾斜して突出する位置にすでにセットされていることが好ましい。これにより、締結用舌部をリベット結合した後には、開放用タブの握り部が対応する下向きの傾斜に保持されることになる。このために、締結用舌部は、蓋板に載った握り部によってわずかにかつ弾性的に上方へ曲げられることになり、締結用舌部は、リベット結合の後、握り部に対して下方への弾性力を働かせる。これにより、開放用タブの握り部は、誤って封塞位置から出て、次の製造工程を妨げることができない。
【００４７】
このことは、本発明の好ましい構成において、再び缶を閉じた後に封塞用アタッチメントを環状壁の内側につかえさせるために、握り部がその封塞位置にあるときに締結用舌部のある特定の弾性曲げ変形が存在する必要があることと相反しない。なぜなら、剥離部を破断させる際に押圧部を押し下げることによって、締結用舌部は、その後封塞用アタッチメントを封塞位置まで押し下げる際に締結用舌部の所望の弾性変形成分が保持されるような方向に曲げられることになる。
【００４８】
好ましくは、再圧縮ステップ後に、再圧縮後の開放用タブが、握り部が封塞位置にある位置にあって、蓋板の周壁が、例えば鍔出し技術によって、すでに充填済みの缶の缶端部に形状フィット状態で固定されることになる。これにより、完成した缶は、さらなる処理、包装および出荷のために、飲み口が作られる蓋の領域が包装、出荷および貯蔵中に汚れを避けるように、ずっと上方で説明した方法で大幅に覆われた好ましい状態で作り出すことができる。本発明によれば、剥離部が所定の破断線に沿ってまだ破断されていなくても、封塞用アタッチメントが環状壁に囲まれた凹部に沈み込んだ状態で、蓋を缶端部に固定することができるので、封塞用アタッチメントが、開放用タブが蓋板上に平らに載ったこの封塞位置にある状態で、密封缶をさらに処理、包装および貯蔵することができる。
【００４９】
続いて、本発明を、その特徴が図面で明らかな好ましい実施形態を用いて説明する。
【図面の簡単な説明】
【００５０】
【図１】第１の構成における本発明にかかる飲料缶用缶端部蓋の上面の透視図である。
【図２】蓋の開放用タブが開放回転位置にある図１の蓋の上面図である。
【図３】蓋の開放用タブが閉鎖回転位置にある図２の蓋の上面図。
【図４】図３の断面線Ａ−Ａにおける蓋の断面図。
【図５】開放用タブがない図１の蓋の蓋板の透視図。
【図６】図３の断面線Ａ−Ａに沿う、開放用タブがない図５の蓋の断面図。
【図７】より大きな縮尺の、図６において円で囲まれた細部Ｃ。
【図８】角度値が記入され、より大きい縮尺の図６の断面の右半分。
【図９】図１の蓋の開放用タブの上面図。
【図１０】図９の開放用タブの側面図。
【図１１】図９の開放用タブの底面図。
【図１２】図９の断面線Ｄ−Ｄにおける開放用タブの断面図。
【図１３】図１１の開放用タブの透視底面図。
【図１４】より大きい縮尺の、図１３の開放用タブの円で囲まれた細部Ｅ。
【図１５】変更された構成型における本発明にかかる蓋の図３の蓋に似た上面図。
【図１６】図１５の断面線Ｆ−Ｆに沿い、変更された蓋の図４の蓋に似た断面図。
【図１７】図１の缶端部蓋として本発明にかかる缶端部蓋構成を有する飲料缶の透視図。
【図１８】変更された構成における本発明にかかる缶端部蓋付き飲料缶。
【図１９】本発明にかかる製造方法を説明する、図１の蓋が再圧縮時の状態の再圧縮工具。
【発明を実施するための形態】
【００５１】
図１〜１４は缶用、特に飲料缶用の本発明にかかる蓋の構成を示し、図１〜１４によれば、この缶は、蓋板（２）と、中空リベット状の固定用スタッド（６）に回転可能に取り付けられた開放用タブ（２０）とを有し、この構成では、固定用スタッド（６）は、搭載された蓋板（２）の中心において、蓋板（２）の上面（３）に突出している。蓋板（２）は、缶の無蓋の缶端部に蓋を固定するための周壁（５）と、深い周溝（４３）によって周壁から分離された板中心領域とを有する。周壁（５）は、同時に蓋軸線でもある軸線（１４）（図８参照）を中心に点対称に延びている。
【００５２】
固定用スタッド（６）の一方の側に、剥離部を押し下げることによって所定の破断線（９）が破れて開き、それによって蓋板（２）に開口が形成されるように、固定用スタッドと環状溝（４３）との間の蓋板（２）上で剥離部（８）を少なくとも大部分取り囲む所定の破断線（９）を有する剥離領域（７）がある。開放用タブ（２０）は、開放用タブ（２０）の押圧部（２１）と握り部（２２）との間の基底（２３ａ）上に形成された締結用舌部（２３）によって、固定用スタッド（６）に回転可能に固定されている。このため、開放用タブ（２０）は、蓋板（２）上の固定用スタッド（６）を中心に回転可能であり、締結用舌部（２３）の基底（２３ａ）を中心に回動式に上下に曲げられることができる。
【００５３】
これにより、開放用タブ（２０）は、図２に示すように、開放回転位置に回転可能であり、その握り部（２２）を持ち上げることによって、その押圧部（２１）が剥離部（８）まで下方に回動されて、剥離部（８）に破って入ることができる。他方、握り部（２２）によって所定の破断線（９）から破断された破断開口は、図４に示すように、握り部（２２）を封塞位置まで下方に回動させることによって、開放用タブ（２０）が閉鎖回転位置にある状態で、図１および図３に示すように再封することができる。
【００５４】
特に図５〜７に示すように、所定の破断線（９）を有する剥離領域（７）の周りには、凹部（１２）を郭成する周囲壁として、凹部（１２）を蓋板（２）の上面（３）内に押し込み、それによって蓋板の底面（４）に蓋板（２）に対して傾斜して突出させることによって形成された環状壁（１１）がある。環状壁（１１）は、環状壁（１１）の周囲輪郭の外側に搭載されている固定用スタッド（６）と周壁（５）の間でそれ自体が環状に閉じた、その内面に沿う内側輪郭を有している。剥離領域（７）は、凹部（１２）の底（１３）によって形成されており、それは、剥離部（８）および所定の破断線（９）が凹部（１２）の底に位置していることを意味する。特に図６の結果として、凹部（１２）は、図示の構成では、その断面が常に基本的に矩形である。
【００５５】
特に図９〜１５において分かるように、開放用タブ（２０）の握り部（２２）の下面には、蓋板（２）の環状壁（１１）に囲まれた凹部（１２）に対して相補的な形状の、下方に突出する封塞用アタッチメント（２５）が形成されている。図示の構成形態における封塞用アタッチメント（２５）は、側面視で矩形であって、封塞用アタッチメント（２５）の外周輪郭に沿って、それ自体が環状に閉じた状態で延び、環状壁（１１）の内面の内周輪郭に相補的な外周輪郭を有する封塞用周縁部（２６）を有している。さらに、封塞用アタッチメント（２５）の下面（２９）は、剥離領域（７）を郭成している凹部（１２）の底の上面と相補形である。
【００５６】
これにより、開放用タブ（２０）の握り部（２２）の封塞用アタッチメント（２５）は、握り部の封塞位置のとき、例えば図４で示すように、平滑な封塞用周縁部（２６）が環状壁（１１）の平滑な内面に密接に取り付けられるようにして凹部（１２）内に嵌入する。したがって、剥離部（８）を所定の破断線（９）から破断させることによって形成された開口は、封塞用アタッチメントの周囲輪郭を開口それ自体の周囲輪郭に合わす必要なく、封塞用アタッチメント（２５）によって再封可能である。
【００５７】
所定の破断線（９）の周囲輪郭形状は、環状壁（１１）の内周輪郭形状より小さい。図７で示すように、これにより、所定の破断線（９）と環状壁（１１）の下端の間に内側鍔状周縁部（３１）が形成され、これにより、内側鍔状周縁部（３１）と環状壁の下部によって共同して凹形の丸い内側角縁（３０）が形成される。図１９に示すように、開放用タブ（２０）の握り部（２２）の封塞用アタッチメント（２５）には、内側角縁（３０）と相補的な、凸形の丸い外側角縁（２８）が設けられており、これは、握り部（２２）がその封塞位置のときに内側角縁（３０）に相補的に係合する。したがって、封塞用アタッチメントの外側環状縁（２８）と共同する内側角縁（３０）の両表面と、封塞用アタッチメント（２５）の平滑な封塞用周縁部（２６）と共同する環状壁（１１）の平滑な内面は、シールの効率的な封塞をもたらすために、それぞれ別個に、または共同して封塞面として配置可能である。さらに図７に示すように、好ましい構成では、内側角縁（３０）は、封止材料（３４）でコーティングされている。このコーティングは、特に炭酸のような発泡性剤が入った飲料缶にとって、内圧に対するシールの抵抗を高めるのに有利となることができる。
【００５８】
特に図５〜８において示すように、剥離領域（７）の周りに、蓋板（２）の上面（３）に突出する環状丸縁（１５）が形成されており、その外側面は斜めに下っていて、その内側面（１６）は、環状壁（１１）の上部が環状丸縁（１５）の内側面（１６）によってそれに沿って形成されるように、垂直になっている。図８に示すように、環状壁（１１）の表面線は、蓋軸線（１４）に平行しているか、または軸線（１７）に対して最高３度の角度で傾斜しており、その結果、環状壁（１１）の内面は、環状壁（１１）に囲まれた凹部（１２）の底（１３）に向かって幅広になっていて、それにより、凹部の上縁から見てわずかにアンダーカットされている。環状壁（１１）の表面線が蓋軸線（１４）に平行していれば、開放用タブの封塞用アタッチメント（２５）の合同により、図１０、図１２および図１３に示すように、したがって側面視で矩形の封塞用アタッチメントの封塞用周縁部（２６）の表面線にも同じことが当てはまる。
【００５９】
さらに、図示の構成では、特に図４、図６および図８において示すように、固定用スタッド（６）が蓋板（２）の上面の台座状隆起（１８）上に配置されている。図５に示すように、台座状隆起（１８）は、環状丸縁（１５）の張出しまたは膨らみ部分（４７）に形成されている。図８に記入したように、台座状隆起（１８）の上面は、剥離領域（７）に向かって０度から４度の角度の下り坂で傾斜していてもよい。隆起（１８）の上面の坂に対応しているのが、開放用タブ（２０）が固定用スタッドを中心に旋回されるレベルである。図５に記入したように、台座状隆起（１８）の幅Ｂは、少なくともその上部が、締結用舌部の幅に相当する。
【００６０】
さらに、図４、図６および図８にも示すように、環状丸縁（１５）の頂点のレベルが、軸線（１４）に垂直な半径方向レベルに対して、隆起（１８）の上面の坂に従って周壁（５）の次の隣接部分に向かうにつれて下方へ傾斜するように、環状壁（１１）を取り囲む蓋板（２）の領域が０°から４°の角度に傾斜されていてもよい。開放用タブ（２０）は、その閉鎖回転位置では、図４で示すように、同様に傾斜している。
【００６１】
図５にも示すように、剥離部（８）上の固定用スタッド（６）の近くに、隆起した丸縁部（４１）が形成されてもよく、図２によれば、所定の破断線（９）から剥離部（８）を破断させるために、その丸縁部（４１）に対して開放用タブ（２０）の押圧部（２１）からの力が及ぼされることになる。そのような丸縁部（４１）が存在する場合には、握り部（２２）の上面にも対応する丸縁部（４２）が存在することになり（図１〜４参照）、それにより、封塞用アタッチメント（２５）の下面には、開放用タブ（２０）が封塞位置（図４参照）の際の丸縁部（４１）の受けとして、凹部が存在することになる。剥離領域（７）の反対側の蓋板（２）の領域を補強するために、蓋板の上面に、２つの弓形の補強用凹部（４０）（図１、図４および図５参照）が形成されている。
【００６２】
開放用タブ（２０）は、できる限り撓み抵抗が強い構成を持つ必要がある。これを達成するために、特に図１、図１２および図１３において示すように、開放用タブの全体形状は皿状である。板状の握り部（２２）に対して、上面から凹部領域が押し下げられ、特に図１２および図１３において示すように、その凹部領域が、握り部の下面で下方に突出する封塞用アタッチメント（２５）を形成している。封塞用アタッチメント（２５）は、その周囲に沿って、図４で示すように、握り部の封塞位置において環状丸縁（１５）を越えて突出し、図１２および図１３によれば、開放用タブの全周に沿って鍔出しされるか、または丸められた周囲鍔（２７）に囲まれている。握り部（２２）の側に、握り部を封塞位置からてこで動かす握りタブ（３８）が存在していてもよい。
【００６３】
この図示の構成では、図１〜４において示し、図８に描写されているように、固定用スタッドが、蓋板（２）の周壁（１５）の軸線（１４）に位置合わせされている一方で、握り部（２２）の自由端が周壁の内面近くに達している。剥離部（８）を越えて周壁（５）の固定用スタッド（６）とは反対側の部分には、図４に示すように、握り部（２２）の封塞位置において開放用タブ（２０）の周囲鍔（２７）の外縁（４４）と係止協働する戻り止め（３２）が外側から形成されている。
【００６４】
特に図１および図２に示すように、開放用タブ（２０）は、押圧部（２１）と握り部（２２）との間のＵ字形切開部（２４）に入るとともに基底（２３ａ）が押圧部（２１）の握り部（２２）に面する側に一体的に形成された締結用舌部（２３）によって、固定用スタッド（６）に取り付けられている。締結用舌部は、開放用タブ（２０）を上下に回動させるとき、この基底（２３ａ）を中心に前後に曲げられる。握り部（２２）が、図３に示すように閉鎖回転位置にあり、次に、図４に示すように、その封塞用アタッチメントが封塞位置まで押し下げられるとき、封塞用アタッチメント（２５）の回動曲線は、開放用タブの閉鎖回転位置において、固定用スタッド（６）の封塞用アタッチメント（２５）と反対側にある舌部基底（２３ａ）との距離によって決まることになる。他方、封塞用アタッチメントが回動されるべき凹部（１２）を取り囲む環状壁（１１）の内面の表面線は、回動曲線に対応する曲線は描かないが、真直ぐであり、好ましくは蓋軸線（１４）に平行している（図８参照）。このため、凹部に沈み込む封塞用アタッチメント（２５）は、封塞用アタッチメントが完全に凹部に入ることができるように、環状壁（１１）の内面に沿って凹部に位置合わせされることになる。開放用タブ（２０）の位置合わせの動きは、締結用舌部（２３）の対応する弾性曲げ変形によって補償されることになる。
【００６５】
図１３および図１４に示すように、好ましい構成では、押圧部と締結用舌部が補強された構成を有している。この目的のため、図１４に示すように、開放用タブを形成するために使用されたシート材料素材の一部分（３５）が、押圧部（２１）の自由端から押圧部および締結用舌部（２３）の下に折り返されている。この部分（３５）は、全体的に見て薄板状で、両側に、自由端が鍔状端縁（４４）に達するアーム（３６）を有しており、締結用舌部（２３）と合同の舌状に形成された端部（３７）をさらに有している。端部（３７）は、締結用舌部（２３）の下に合同状態で横たわっており、締結用舌部と同様に、端部を、固定用スタッドを中心に回転可能に取り付ける固定用孔（４５）が設けられている。これにより、部分（３５）は、押圧部（２１）の曲げ剛性のみならず、締結用舌部（２３）の曲げ剛性も効率的に強化する。したがって、屈曲する基底（２３ａ）に沿った締結用舌部（２３）の弾性曲げ変形成分が、締結用舌部の弾性に起因して増大される。本明細書の上の概要部分で説明したように、この弾性曲げ変形成分は、本明細書の概要部分でさらに説明したように、環状壁（１１）に囲まれた剥離領域（７）の凹部に握り部（２２）を弾性的に圧入するために使用することができる。さらに、締結用舌部（２３）を二つ折りにすることにより、缶のシールを数回開閉する際に数回前後に曲げられても壊れない締結用舌部（２３〜３５）がもたらされる。
【００６６】
図１５および図１６は、図３および図４の蓋構成の変更例を示す。図３および図４の弓形の補強用リブ（４０）の代わりに、図１５および図１６によれば、固定用スタッド（６）の剥離領域（７）と反対側の蓋板２に、開放用タブ（２０）の握り部（２２）の封塞用アタッチメント（２５）用の受入れ凹部（４６）が形成されている。図１５および図１６に閉鎖回転位置で示す開放用タブ（２０）が、固定用スタッド（６）を中心に１８０度回転されて開放回転位置に移されると、封塞用アタッチメント（２５）を受入れ凹部（４６）内に押し下げられることができる。開放用タブの開放回転位置でも同様に握り部を下方に係止するために、蓋板（２）の直径に沿って戻り止め（３２）の反対側に、第２の戻り止め（図示せず）があってもよい。図１６で示すように、受入れ凹部（４６）が形成されている蓋領域も、固定用スタッドが搭載された台座状隆起（１８）から受入れ凹部を越えて周壁（５）の反対側部分に向かって最高４度の角度で下方に傾斜している。
【００６７】
他の点では、図１５および図１６に示す構成は、図３および図４の構成に対応するので、図３および図４の構成の説明を参照することができる。
【００６８】
図１７および図１８は、本発明にかかる再封可能な蓋が装着された飲料缶（５０）の２つの構成を示す。蓋（１）は、蓋板（２）の周壁によって、充填済みの缶（５０）の缶自由端（５１）上に嵌め込まれており、その境界部は、缶自由端（５１）で耐破裂式にクリンプされている。図１７の蓋１の構成は、図１〜１４の蓋の構成と一致する。図１８の蓋１は、開放用タブの握り部（２２）が両側に翼状の延出部（３９）を有するように変更されている。図１７および図１８に関して、開放用タブ（２０）は、図４に示すように握り部（２２）が封塞位置に押し下げられた状態で、閉鎖回転位置にある。開放用タブ（２０）の握り部の封塞用アタッチメント（２５）は、蓋（１）がまだ開封されていなくても、環状壁（１１）に囲まれた凹部（１２）に嵌入するので、開放用タブは、出荷中および貯蔵中もこの封塞位置にいることができ、蓋の飲む領域を汚れから実質的に保護する。この保護は、図１８の翼（３９）による握り部（２２）の拡張によって強化される。
【００６９】
図１９は、本発明にかかる蓋（１）の製造方法の一ステップを示し、説明する。蓋板（２）と開放用タブ（２０）を別々の製造ステップで製造した後、そして締結用舌部を備えた開放用タブ（２０）が固定用スタッド（６）にリベット結合された後、蓋（１）が、図４に示すように握り部が閉鎖回転位置の状態で、プレス機の型（６０）に配置される。この後に、プレスポンチ（６１）が、握り部（２２）の封塞用アタッチメントのくぼんだ上面に挿入される。型（６０）とプレスポンチ（６１）を一緒に押圧することにより、握り部の封塞用アタッチメントの封塞用周縁部および環状壁（１１）の内面が、共同でその最終形状に再圧縮される。この再圧縮は、一方では環状壁の内面の製造耐性を補償し、他方では封塞用アタッチメント（２５）の封塞用周縁部の製造耐性を補償する。
【図１】
0005409781.tif 000002
【図２】
0005409781.tif 000003
【図３】
0005409781.tif 000004
【図４】
0005409781.tif 000005
【図５】
0005409781.tif 000006
【図６】
0005409781.tif 000007
【図７】
0005409781.tif 000008
【図８】
0005409781.tif 000009
【図９】
0005409781.tif 000010
【図１０】
0005409781.tif 000011
【図１１】
0005409781.tif 000012
【図１２】
0005409781.tif 000013
【図１３】
0005409781.tif 000014
【図１４】
0005409781.tif 000015
【図１５】
0005409781.tif 000016
【図１６】
0005409781.tif 000017
【図１７】
0005409781.tif 000018
【図１８】
0005409781.tif 000019
【図１９】
0005409781.tif 000020